(57)【特許請求の範囲】
【請求項１】
独立柱および軸組などの縦柱間に、ブレースによって形成された耐力面を有する耐力壁部において、
対向する独立柱に、耐力面を挟んだ一方側および他方側にスタッド挟持片を有する固定金具がそれぞれ固定され、一方側のスタッド挟持片と他方側のスタッド挟持片との間には、それぞれブレースに緩衝しないように、少なくとも一対以上の補強スタッドが設けられる一方、
横並びとなった二つの溝部を有する溝形ランナが、床部と天井部とのそれぞれに、対向するように設けられ、この溝形ランナ間に、間隔を存して複数のスタッドが、耐力面の両側に立設され、
このうち耐力面の一面側に立設されたスタッドが、前記一方側のスタッド挟持片間にのみ設けられた補強スタッドに固定されるとともに、耐力面の他面側に立設されたスタッドが、前記他方側のスタッド挟持片間にのみ設けられた補強スタッドに固定され、これによって耐力面の両側に独立した遮音内壁下地が形成され、少なくともいずれかの面の内壁下地のスタッド間に吸音材が設けられるとともに、遮音内壁下地の外側に内壁材が貼設されてなることを特徴とする耐力壁部の遮音界壁構造。
【発明の詳細な説明】
【０００１】
【発明の属する技術分野】
本発明は、耐力壁部の遮音界壁構造に関するものである。
【０００２】
【従来の技術】
工業化住宅においては、外壁や窓などの遮音性能が向上し、外部騒音が低減されたことに伴い、各部屋間の騒音が気にされるようになって来ている。
【０００３】
従来より、このような遮音性を考慮した遮音壁構造のうち、躯体の縦柱間にブレースが設けられた耐力壁部においては、図１１に示すように、基礎ａ上の独立柱ｂ間をつなぐ柱つなぎｃと、梁ｄとのそれぞれに設けたランナｅ間に、ブレースｆに緩衝しないようにスタッドｇを立設させ、このスタッドｇの両側面に内壁材ｈを貼設するものが知られている。この場合、スタッドｇは、ブレースｆに緩衝しないように切欠部ｉを設けたソケット部材ｊを、切断したスタッド本体ｋの間に接続して構成していた。
【０００４】
【発明が解決しようとする課題】
しかし、上記従来の耐力壁部における遮音壁構造の場合、スタッドｇの両側面に貼設される内壁材ｈが、スタッドｇを介してつながっているので、一方の内壁材ｈに伝わった音の振動がスタッドｇを介して他方の内壁材ｈに伝わる、いわゆるサウンドブリッジを形成することとなり、充分な遮音性が得られないといった不都合を生じることとなる。
【０００５】
本発明は、係る実情に鑑みてなされたものであって、サウンドブリッジを形成せず、優れた遮音性を発揮することができる耐力壁部における遮音界壁構造を提供することを目的としている。
【０００６】
【課題を解決するための手段】
上記課題を解決するための本発明の耐力壁部における遮音界壁構造は、独立柱および軸組などの縦柱間に、ブレースによって形成された耐力面を有する耐力壁部において、対向する独立柱に、耐力面を挟んだ一方側および他方側にスタッド挟持片を有する固定金具がそれぞれ固定され、一方側のスタッド挟持片と他方側のスタッド挟持片との間には、それぞれブレースに緩衝しないように、少なくとも一対以上の補強スタッドが設けられる一方、横並びとなった二つの溝部を有する溝形ランナが、床部と天井部とのそれぞれに、対向するように設けられ、この溝形ランナ間に、間隔を存して複数のスタッドが、耐力面の両側に立設され、このうち耐力面の一面側に立設されたスタッドが、前記一方側のスタッド挟持片間にのみ設けられた補強スタッドに固定されるとともに、耐力面の他面側に立設されたスタッドが、前記他方側のスタッド挟持片間にのみ設けられた補強スタッドに固定され、これによって耐力面の両側に独立した遮音内壁下地が形成され、少なくともいずれかの面の内壁下地のスタッド間に吸音材が設けられるとともに、遮音内壁下地の外側に内壁材が貼設されてなるものである。
【０００７】
【発明の実施の形態】
以下、本発明の実施の形態を図面を参照して説明する。
【０００８】
図１ないし図３は耐力壁部における遮音間仕切壁構造の施工手順を示し、図４は同遮音壁構造の施工完了状態を示している。
【０００９】
すなわち、この遮音界壁構造は、独立柱１間に耐力面２を有する耐力壁部において、対向する独立柱１間に補強スタッド３を設ける一方、耐力面２の両側に、補強スタッド３によって補強されたスタッド４を設けて耐力面２の両側に遮音内壁下地Ａを形成し、いずれか一方の遮音内壁下地Ａのスタッド４間に吸音材５を設けるとともに、遮音内壁下地Ａの外側に内壁材６を貼設したものである。
【００１０】
耐力面２は、対向する独立柱１間に、ブレース２１を十字状に架け渡して構成されている。また、独立柱１の下端部間には、柱つなぎ２２が設けられている。
【００１１】
補強スタッド３は、図５に示すように、短く切断されたスタッド本体３１と、このスタッド本体３１の端部同士を接続する接続部材３２とによって形成されている。このうち、スタッド本体３１は、断面矩形状となされた鋼板で形成されている。また、接続部材３２は、断面コ字形状の溝形となされた鋼板によって形成され、一端部から切欠３３が設けられている。この接続部材３２は、スタッド本体３１の端部間を上方から被覆した状態でビス９によって固定される。そして、切欠３３の位置にブレース２１を通過させるようにしてスタッド本体３１と接続部材３２とを接続することで、補強スタッド３は、ブレース２１に緩衝しないようになされている。この補強スタッド３は二本が一対となった状態で、固定金具３０によって独立柱１間に固定される。この固定金具３０は、鋼板からなる金具本体３０ａの一方の面の中央部に一つの柱挟持片３０ｂが形成され、他方の面の上下に二つのスタッド挟持片３０ｃが形成されている。そして、固定金具３０の挟持片３０ｂ間に独立柱１を挟持させてビス９で固定した状態で、上下のスタッド挟持片３０ｃ間に、それぞれ補強スタッド３を固定するようになされている。この際、一対となった補強スタッド３のうちの一方は、耐力面２を挟んだ一方側にあるスタッド挟持片３０ｃにのみ固定される。また、他方の補強スタッド３は、耐力面２を挟んだ他方側にあるスタッド挟持片３０ｃにのみ固定される。この補強スタッド３は、独立柱１の下から１／３ぐらいの位置と上から１／３ぐらいの位置に固定金具３０を取り付けて、これら固定金具３０間に二本ずつの合計四本が固定される。
【００１２】
なお、スタッド本体３１の端部同士を接続する接続部材３２は、図６に示すようなものであっても良い。この接続部材３２は、リップ溝形鋼によって形成され、一端部から切欠３３が設けられている。そして、接続部材３２は、一方のスタッド本体３１にスライド嵌合した状態としておき、この一方のスタッド本体３１から他方のスタッド本体３１へとスライドさせることで、切欠３３の位置にブレース２１を通過させた状態としてスタッド本体３１の端部同士をビス９で固定できるようになされている。また、スタッド本体３１の端部同士を接続する接続部材３２は、図７に示すようなものであっても良い。この接続部材３２は、鋼板を折り曲げ成形して形成され、その両端部には、スタッド本体３１の端部同士を上下方向から挟持する挟持片３４が突設され、中央部には切欠３３が設けられている。そして、接続部材３２は、スタッド本体３１の端部間の一方の側面に水平方向から当接され、挟持片３４によってこのスタッド本体３１の端部間を上下から挟持した状態でビス９で固定できるようになされている。また、スタッド本体３１の端部間の他方の側面は、スタッド本体３１の長手方向に沿うようになされた断面コ字状の添え板３５を貼着する。
【００１３】
また、本実施の形態において、スタッド本体３１を独立柱１に固定する固定金具３０は、一個の固定金具３０で二本のスタッド本体３１を固定するようになされているが、図６および図７に示すように、一個の固定金具３０で一本のスタッド本体３１を固定するようになされたものであっても良い。すなわち、この固定金具３０は、鋼板からなる金具本体３０ａの一方の面の中央部に一つのスタッド挟持片３０ｃが形成され、他方の面の上下に二つの柱挟持片３０ｂが形成されている。また、柱挟持片３０ｂの中心線に対してスタッド挟持片３０ｃの中心線が偏心するようになされている。また、偏心方向が判るように、固定金具３０の一端部には刻印３０ｄが設けられ、他端部には切欠３０ｅが設けられている。したがって、この固定金具３０は、独立柱１に固定した状態で、この固定金具３０上の独立柱１の位置に、上下に１８０度回転させた別の固定金具３０を固定することで、それぞれの固定金具３０のスタッド挟持片３０ｃを、耐力面２を挟んだ一方側および他方側のそれぞれの面に偏心した状態とすることができる。
【００１４】
スタッド４は、断面矩形状で長尺となされた鋼板で形成されている。このスタッド４は、図８に示すように、基礎７と梁８とに設けた溝形ランナ４０間に固定される。この溝形ランナ４０は、断面コ字形状の溝部４１が、耐力面２の幅を隔てて横並びとなされた状態で長尺に形成されている。この溝形ランナ４０は、溝部４１がそれぞれ対向するように、基礎７と梁８とに固定される。基礎７に固定する場合は、溝形ランナ４０を基礎７に沿って配置した状態で、ビス９で固定される。また、梁８に固定する場合は、梁８に取付金具４２を固定しておき、この取付金具４２に溝形ランナ４０を抱き込ませるようにしてビス９で固定することによって梁８下に固定される。
【００１５】
スタッド４を溝形ランナ４０間に固定することによって、耐力面２を挟んだ両側に遮音内壁下地Ａが形成されることとなる。これら遮音内壁下地Ａを形成するスタッド４は、それぞれの面で補強スタッド３に固定される。この際、耐力面２を挟んだ一面側のスタッド４は、この一面側のスタッド挟持片３０ｃに固定された補強スタッド３に、ビス９で固定される。また、耐力面２を挟んだ他面側のスタッド４は、この他面側のスタッド挟持片３０ｃに固定された補強スタッド３にビス９で固定される。これにより、遮音内壁下地Ａは、補強スタッド３とスタッド４とが、耐力面２を挟んでそれぞれの面で独立した状態で形成されることとなる。
【００１６】
吸音材５は、いずれか片面の遮音内壁下地Ａを構成するスタッド４同士の間に設けられる。
【００１７】
内壁材６は、双方の遮音内壁下地Ａのスタッド４に固定される。この内壁材６は、それぞれの面毎に一枚または二枚が貼設される。この内壁材６としては、ベニア合板または石膏ボードなどが使用される。また、二枚貼設する場合には、内側に貼設される内壁材６として防音シートなどを使用しても良い。
【００１８】
この遮音壁構造の施工を行う場合、まず、基礎７と梁８とに溝形ランナ４０を固定するとともに、対向する独立柱１間に、二個ずつ固定金具３０を固定する。ついで、固定金具３０に、補強スタッド３を固定した後、溝形ランナ４０間にスタッド４を固定して遮音内壁下地Ａを形成する。また、各スタッド４を補強スタッド３にビス９で固定する。そして、いずれか一方の遮音内壁下地Ａのスタッド４間に吸音材５を設けるとともに、双方の遮音内壁下地Ａの外側に内壁材６を固定して施工を完了する。
【００１９】
このようにして構成される遮音界壁構造によると、耐力面２の双方に、それぞれスタッド４を立設して独立した遮音内壁下地Ａを形成しているので、これらのスタッド４を介して双方の遮音内壁下地Ａに貼設される内壁材６がつながらない。したがって、一面の内壁材６の振動が他面の内壁材６に伝わる、いわゆるサウンドブリッジを生じることが無く、優れた遮音性が得られることとなる。
【００２０】
また、遮音内壁下地Ａを形成する各スタッド４は、補強スタッド３によって補強され、しかもこの補強スタッド３は、いずれか一方の側のスタッド４にしか固定されていないので、この補強スタッド３を介してサウンドブリッジを生じるといったことも無く、優れた遮音性と、界壁としての優れた強度も得られる。
【００２１】
なお、本実施の形態では、補強スタッド３は、各遮音内壁下地Ａにつき二本ずつの合計四本が設けられているが、この補強スタッド３の数としては、特に四本に限定されるものではなく、図６および図７に示すように、ブレース２１の交点の部分に二本設けられたものであっても良いし、三本あるいは五本以上であっても良い。
【００２２】
また、本実施の形態では、吸音材５は、一方の遮音内壁下地Ａのスタッド４間にしか設けていないが、双方の遮音内壁下地Ａのスタッド４間に設けられていても良い。
【００２３】
さらに、本実施の形態では、基礎７と梁８との間の耐力面２における遮音界壁構造について述べているが、二階以上の階層の床面と梁８との間の耐力面２における遮音界壁構造であっても良い。あるいは、溝形ランナ４０を床下地（図示省略）と天井野縁（図示省略）とに設け、各部屋間の遮音壁構造を構成しても良い。
【００２４】
さらに、本実施の形態では、独立柱１間の耐力面２における遮音界壁構造について述べているが、軸組間における遮音界壁構造であっても良い。この場合、図９に示すように、補強スタッド３を固定するための固定金具３０は、挟持片３０ｂを金具本体３０ａと同一面となるように平らに引き延ばしてから軸組１０に当接してビス９で固定する。また、固定金具３０は、ビス９で固定する以外にも、両面テープなどによって固定するものであっても良い。
【００２５】
さらに、本実施の形態では、溝形ランナ４０は、断面コ字形状の鋼板を二枚組み合わせて一体化することで、横並びとなった二つの溝部４１を形成しているが、図１０に示すように、一枚の鋼板を折り曲げ加工することによって横並びとなった二つの溝部４１を形成したものであっても良い。
【００２６】
【発明の効果】
以上述べたように、本発明の耐力壁部における遮音界壁構造によると、一面の内壁材の振動が他面の内壁材に伝わる、いわゆるサウンドブリッジを生じることが無く、優れた遮音性が得られることとなる。
【図面の簡単な説明】
【図１】本発明の耐力壁部における遮音界壁構造に係る図面であって、固定金具および溝形ランナを取り付けた状態を示す斜視図である。
【図２】本発明の耐力壁部における遮音界壁構造に係る図面であって、遮音内壁下地の施工状態を示す斜視図である。
【図３】本発明の耐力壁部における遮音界壁構造に係る図面であって、遮音内壁下地に吸音材を設ける状態を示す斜視図である。
【図４】（ａ）は本発明の耐力壁部における遮音界壁構造の全体構成の概略を示す垂直断面図、（ｂ）および（ｃ）は、同図（ａ）のI-I 線断面図およびII-II 線断面図である。
【図５】（ａ）は独立柱に固定金具を固定する状態を示す部分斜視図、（ｂ）は同固定金具に補強スタッドを取り付ける状態を示す部分斜視図である。
【図６】他の接続部材による補強スタッドの取付状態を示す部分斜視図である。
【図７】さらに他の接続部材による補強スタッドの取付状態を示す部分斜視図である。
【図８】（ａ）は梁に溝形ランナを取り付ける状態を示す部分斜視図、（ｂ）は基礎に溝形ランナを取り付ける状態を示す斜視図である。
【図９】軸組に固定金具を固定する状態を示す部分斜視図である。
【図１０】（ａ）および（ｂ）は、溝形ランナの他の実施の形態を示す部分斜視図である。
【図１１】従来の遮音界壁構造を示す部分破断斜視図である。
【符号の説明】
Ａ  遮音内壁下地
１  独立柱（縦柱）
１０  軸組（縦柱）
２  耐力面
２１  ブレース
３  補強スタッド
４  スタッド
４０  溝形ランナ
４１  溝部
５  吸音材
６  内壁材
７  基礎（床部）
８  梁（天井部）
【図１】
0003668025.tif 000002
【図２】
0003668025.tif 000003
【図３】
0003668025.tif 000004
【図４】
0003668025.tif 000005
【図５】
0003668025.tif 000006
【図６】
0003668025.tif 000007
【図７】
0003668025.tif 000008
【図８】
0003668025.tif 000009
【図９】
0003668025.tif 000010
【図１０】
0003668025.tif 000011
【図１１】
0003668025.tif 000012